(57)【特許請求の範囲】
【請求項１】
液透過性のトップシート、液不透過性のバックシート及び両シート間に介在された液保持性の吸収コアを有し、腹側部及び背側部それぞれの両側縁部が互いに接合されて接合部位が形成され、ウエスト開口部及び一対のレッグ開口部が形成されたパンツ型使い捨ておむつにおいて、
弾性部材が不織布に接合固定されて構成された伸縮自在な帯状弾性片が、前記レッグ開口部に沿って、前記接合部位の近傍を除く該レッグ開口部の全域に配されていると共に、該接合部位の近傍であって、且つ該帯状弾性片が配されていない部位に、該レッグ開口部の開口縁に沿ってレッグ部弾性部材が配されており、
前記帯状弾性片及び前記レッグ部弾性部材によって、前記レッグ開口部に、実質的に連続したリング状の弾性領域が形成されており、
前記帯状弾性片は、前記レッグ開口部における内面の位置において、前記不織布が肌に対向するように配されており、
前記帯状弾性片は、その長さ方向に沿う一側部に自由縁部を有すると共に該自由縁部よりも内寄りの位置に固定部を有しており、該固定部が前記レッグ開口部の開口縁又はその近傍に接合固定されているパンツ型使い捨ておむつ。
【請求項２】
液透過性のトップシート、液不透過性のバックシート及び両シート間に介在された液保持性の吸収コアを有し、腹側部及び背側部それぞれの両側縁部が互いに接合されてウエスト開口部及び一対のレッグ開口部が形成されたパンツ型使い捨ておむつにおいて、
弾性部材が不織布に接合固定されて構成され、直線が組み合わされた形状となっている伸縮自在な帯状弾性片が、前記レッグ開口部に沿って、該レッグ開口部の全域に亘って配されており、
前記帯状弾性片によって、前記レッグ開口部に、実質的に連続したリング状の弾性領域が形成されており、
前記帯状弾性片は、前記レッグ開口部における内面の位置において、前記不織布が肌に対向するように配されており、
前記帯状弾性片は、その長さ方向に沿う一側部に自由縁部を有すると共に該自由縁部よりも内寄りの位置に固定部を有しており、該固定部が前記レッグ開口部の開口縁又はその近傍に接合固定されてパンツ型使い捨ておむつ。
【請求項３】
前記帯状弾性片における前記自由縁部に前記弾性部材が存しており且つ前記固定部には前記弾性部材が存していない請求項１又は２記載のパンツ型使い捨ておむつ。
【請求項４】
前記帯状弾性片における前記固定部が、前記レッグ開口部の開口縁の位置で接合固定されて、該帯状弾性片における前記自由縁部が該開口縁よりも外方へ延出している請求項１〜３のいずれかに記載のパンツ型使い捨ておむつ。
【請求項５】
前記不織布と液不透過性のシート材とが積層され且つ前記不織布が外側を向くように両者が二つ折りされ、二つ折りされた内部に前記弾性部材が接合固定されて、前記帯状弾性片が構成されている請求項１〜４の何れかに記載のパンツ型使い捨ておむつ。
【請求項６】
前記腹側部及び前記背側部の間に位置する股下部と、前記ウエスト開口部との間に位置する胴周囲部に、周方向に沿って胴回り弾性部材が配されており、
前記胴回り弾性部材は、少なくとも前記吸収コアの両側縁よりも外方の部位に、伸縮弾性が発現されるように伸張状態で接合固定されており、且つ前記吸収体が存在する部位の少なくとも中央部には配されていない請求項１〜５の何れかに記載のパンツ型使い捨ておむつ。
【請求項７】
前記股下部に、該股下部を横断する弾性部材が配されていない請求項１〜６の何れかに記載のパンツ型使い捨ておむつ。
【請求項８】
前記トップシート、前記バックシート及び前記吸収コアを有する吸収性本体と、該吸収性本体の前記バックシート側に配された外層シートとを備え、
前記吸収性本体の左右両側部それぞれに所定幅の帯状不織布が配されており、各帯状不織布は、その幅方向の内側部に自由部を有し且つ該自由部よりも外側の位置におむつの前記トップシート側に固着された固着部を有していると共に、該固定部から外側に延出した延出部を有し、
前記自由部の側縁に沿って立体ガード弾性部材が伸張状態で配されて、該自由部が上方に起立し立体ガードが形成されるようになされていると共に、前記延出部に前記弾性部材が接合固定され、該延出部及び前記固着部によって前記帯状弾性片が形成されている請求項１〜７の何れかに記載のパンツ型使い捨ておむつ。
【発明の詳細な説明】
【０００１】
【発明の属する技術分野】
本発明は、着用者の脚回りへのフィット性が高いパンツ型使い捨ておむつに関する。
【０００２】
【従来の技術及び発明が解決しようとする課題】
従来のパンツ型使い捨ておむつとして、トップシート、バックシート及び吸収コアを有する吸収性本体と、該吸収性本体の前記バックシート側に配された外層シートとを備えたタイプのものが知られている。このタイプのおむつにおいては、外層シートの左右両側縁に円弧状の凹欠部が形成されており、該外層シートにおける腹側部及び背側部それぞれの両側縁部を互いに接合することで、前記凹欠部からレッグ開口部が形成されている。そして、前記凹欠部に、その縁に沿ってレッグ部弾性部材が伸張状態で配されることで、レッグギャザーが形成されている。
【０００３】
しかし、このタイプのおむつにおいては、レッグ部弾性部材は、おむつの腹側部と背側部とで別々に配されることが多い。その場合には、レッグ部弾性部材は、おむつの股下部において吸収体の幅方向へ横断することになる。その結果、吸収体にヨレやしわが発生し、吸収体を効率的に使うことができなかったため、漏れが起こる場合があった。また、腹側部のレッグ部弾性部材と背側部のレッグ部弾性部材とが股下部において接近する部分においては、一般にレッグ部弾性部材の応力が、おむつの長手方向というよりは、むしろその幅方向に働いていたため、おむつ股下部のレッグ部弾性部材の機能が不十分となり、レッグ部弾性部材の伸縮応力がレッグ開口部の全周に亘って連続しなくなっていた。これに起因して、着用者の脚回りのフィット性が充分でなくなり、脚回りからの液漏れが起こる場合があった。
【０００４】
従って、本発明は、装着者の脚回りへのフィット性が高く、脚回りからの液漏れが防止された、下着のブリーフ様の外観を有するパンツ型使い捨ておむつを提供することを目的とする。
【０００５】
【課題を解決するための手段】
本発明は、液透過性のトップシート、液不透過性のバックシート及び両シート間に介在された液保持性の吸収コアを有し、腹側部及び背側部それぞれの両側縁部が互いに接合されてウエスト開口部及び一対のレッグ開口部が形成されたパンツ型使い捨ておむつにおいて、
弾性部材が不織布に接合固定されて構成された伸縮自在な帯状弾性片が、前記レッグ開口部に沿って配されており、
前記帯状弾性片は、その長さ方向に沿う一側部に自由縁部を有すると共に該自由縁部よりも内寄りの位置に固定部を有しており、該固定部が前記レッグ開口部の開口縁又はその近傍に接合固定されているパンツ型使い捨ておむつを提供することにより前記目的を達成したものである。
【０００６】
【発明の実施の形態】
以下本発明を、その好ましい実施形態に基づき図面を参照しながら説明する。
第１実施形態の使い捨ておむつ１は、図１、図２及び図３に示すように、液透過性のトップシート２、液不透過性のバックシート３及び、トップシート２とバックシート３との間に挟まれた液保持性の吸収コア４を有する実質的に縦長の吸収性本体１０と、吸収性本体１０のバックシート３側に配された外層シート５とを備えている。
【０００７】
おむつ１は、着用者の腹側に配される腹側部１１と背側に配される背側部１３とその間に位置する股下部１２とを有している。そして、腹側部１１の両側縁１１ａ，１１ａと背側部１３の両側縁１３ａ，１３ａとが互いに接合され接合部位９が形成されている。これにより、ウエスト開口部１４及び一対のレッグ開口部１５，１５が形成される。この接合には例えばヒートシール、高周波シール、超音波シール等が用いられる。
【０００８】
トップシート２、バックシート３及び吸収コア４はそれぞれ矩形状であり、長さ方向の両側縁部がおむつ１の股下部１２において内方に湾曲している。これら三者は一体化されて縦長の吸収性本体１０を形成している。トップシート２及びバックシート３としては、従来この種のおむつに用いられているものと同様のものを用いることができる。また吸収コア４は、高吸収性ポリマーの粒子及びパルプ等の繊維材料から構成されており、ティッシュペーパ（図示せず）によって被覆されている。
【０００９】
吸収性本体１０は、図２に示すように、その長さ方向を外層シート５の長さ方向に一致させて、外層シート５の中央部に固定されている。
【００１０】
外層シート５は、少なくとも二枚の不織布、即ち外層不織布５ａと該外層不織布５ａの内面側に配された内層不織布５ｂとを有している。外層不織布５ａ及び内層不織布５ｂは同形をしている。外層シート５は、おむつ１の外形を形成しており、外層シート５を構成する外層不織布５ａはおむつ１の外面をなし、内層不織布５ｂは外層不織布５ａの内面側に、ホットメルト粘着剤等の接着剤によって接合されている。外層シート５は、その両側縁が、長さ方向中央部において内方に括れて凹欠部を形成しており、全体として砂時計形の形状をしている。外層シート５が外層不織布５ａと内層不織布５ｂとから構成されていることで、後述するように、両不織布間に弾性部材や帯状弾性片を介装させることができ、おむつ１の外観の印象を向上させることができる。
【００１１】
外層シート５は、吸収性本体１０の前後端縁から外方に延出している。外層シート５における前後端部には、前後端縁に沿って、複数のウエスト部弾性部材１４ａがその幅方向に亘り配されている。各ウエスト部弾性部材１４ａは、外層不織布５ａと内層不織布５ｂとによって伸張状態で挟持固定されている。各ウエスト部弾性部材１４ａは、おむつ１の腹側部１１の両側縁１１ａと背側部１３の両側縁１３ａとを互いに接合させたときに、腹側部１１及び背側部１３にそれぞれ配された弾性部材１４ａの端部同士が重なるように配されている。これによって、おむつ１のウエスト開口部１４の付近には実質的に連続したリング状のウエストギャザーが形成される。
【００１２】
外層シート５における前後端部と左右両側の湾曲部との間に位置する胴周囲部１７には、外層シートの幅方向に亘って複数の胴周囲部弾性部材１７ａが所定間隔で配されている。胴周囲部弾性部材１７ａは、おむつ１の腹側部１１及び背側部１３において、外層不織布５ａと内層不織布５ｂとによって伸張状態で挟持固定されている。胴周囲部弾性部材１７ａは、側縁部１１ａ，１３ａから中央部に向かって延びて、その一端が吸収コア４の側縁部まで達しており、少なくとも吸収コア４の両側縁よりも外方の部位において伸縮弾性が発現される。また胴周囲部弾性部材１７ａは、吸収コア４が存在する部位の少なくとも中央部には配されていない。そして、胴周囲部弾性部材１７ａは、吸収コア４が存在する部位において弾性伸縮性を発現しないようになされている。このように胴周囲部弾性部材１７ａを配することによって、着用者の胴回りにおけるフィット性が向上し、おむつ１の装着感及び漏れ防止効果が向上する。しかも胴周囲部弾性部材１７ａが、吸収コア４が存在する部位において弾性伸縮性を発現しないようになされているので、おむつ１の着用中における吸収コア４の縮みやよれが効果的に防止され、そのため吸収コア４の幅を狭くしてもその吸収性能を維持できる。これにより吸収コア４に皺が寄りにくくなり着用し易く、また着用状態の外観がすっきりしたものとなる。また、吸収コア４の小型化、使用材料の削減等を図ることができる。
【００１３】
本実施形態のおむつ１においては、短冊形の伸縮自在な帯状弾性片２０が、その長さ方向がおむつ１の長さ方向と一致するように、レッグ開口部１５に沿って配されている。帯状弾性片２０は、レッグ開口部１５における接合部位９（図１参照）の近傍を除く全域に配されている。これによって、接合部位９の剛性が過度に高くなっておむつ１の風合いが低下することが防止される。パンツ型の使い捨ておむつに、レッグギャザーを形成する弾性部材を別体で取り付けるという考え方は、当該技術分野において従来全く考えられていなかった。
【００１４】
帯状弾性片２０は、弾性部材が不織布に接合固定されて構成されている。具体的には、縦長矩形状の不織布２３と、該不織布と同形の液不透過性のシート材２４とが積層一体化してなる積層シートが、その長さ方向に沿って且つ不織布２３が外側を向くように二つ折りにされ、二つ折りにされた内部に、複数の弾性部材２６ａ，２６ｂ，２６ｃが、積層シートの長さ方向に沿って伸張状態で挟持固定されている。つまり弾性部材２６ａ，２６ｂ，２６ｃは、シート材２４を介して不織布２３に間接的に接合固定されている。帯状弾性片２０が液不透過性のシート材２４を備えていることにより、レッグ開口部１５からの液漏れが効果的に防止される。特に、後述するように、シート材２４が水蒸気透過性である場合には、脚回りにおける蒸れも効果的に防止される。
【００１５】
帯状弾性片２０は、その長さ方向に沿う一側部に自由縁部２１を有すると共に該自由縁部２１よりも内寄りの位置、具体的には他側部に沿って固定縁部２２を有している。固定縁部２２は、レッグ開口部１５の開口縁１５ａ（外層シート５の側縁５ｃ）の位置で、おむつ１の肌対向面、即ち外層シート５における内層不織布５ｂ上に接合固定されている。つまり、帯状弾性片２０は、レッグ開口部１５における内面の位置において、不織布２３が肌に対向するように配される。これにより、外層シート５の側縁５ｃが肌に接触する従来の使い捨ておむつと比較して、本実施形態のおむつ１はレッグ開口部１５において、着用者の肌に対する当たりがよく、また風合いにも優れたものとなる。また、本実施形態においては外層シート５の側縁５ｃが外部に露出していないので、おむつ１の装着状態での外観が美しいものとなる。
【００１６】
自由縁部２１は、開口縁１５ａよりも外方へ延出している。その結果、おむつ１の着用中、レッグ開口部１５の開口縁１５ａ（外層シート５の側縁５ａ）は着用者の肌に直接接触しなくなる。これによっても着用感が向上する。
【００１７】
帯状弾性片２０における弾性部材２６ａ，２６ｂ，２６ｃは、前述した積層シートの折曲部側に偏倚して配されており、開口縁１５ａよりも外方へ延出している自由縁部２１にこれら弾性部材２６ａ，２６ｂ，２６ｃが存している。そして、固定縁部２２には弾性部材が存していない。帯状弾性片２０は、自由状態において弾性部材２６ａ、２６ｂ、２６ｃが収縮することにより、着用者の脚回りにフィットするレッグギャザーを形成するが、自由縁部２１のみに弾性部材２６ａ、２６ｂ、２６ｃが存しているため、自由縁部２１が主として着用者の脚回りに接触し、固定縁部２２はほとんど接触しない。固定縁部２２は内層不織布５ｂとの接合によって剛性が高くなって風合いが低下することがあるが、固定縁部２２が着用者の脚回りに接触しないことで、おむつ１の装着感が損なわれることがなくなる。また自由縁部２１が開口縁１５ａよりも外方へ延出していることで、おむつの外側から見て脚廻りをシールするギャザーであると確認でき、下着のブリーフ様の外観となり、見た目がよく、漏れ防止性能が期待できると使用者に印象づけられる。
【００１８】
帯状弾性片２０を構成する不織布２３は、肌触りが良好で柔軟であり且つ液不透過性であることが好ましい。その例としては、サクションボンド不織布、ヒートボンド不織布、スパンレース不織布、メルトブローン不織布及びこれらを組み合わせた不織布等が挙げられる。これらの不織布は撥水処理されていることが液漏れ防止の点から好ましい。一方、液不透過性のシート材２４としては、ポリエチレンやポリプロピレン等の熱可塑性樹脂のフィルムなどが用いられる。該シート材２４は、液不透過性で且つ水蒸気透過性であっても良い。また、不織布２３とシート材２４とは、ラミネートされていてもよい。弾性部材２６ａ、２６ｂ、２６ｃとしては、糸ゴム、平ゴム、帯状発泡体など、従来、使い捨ておむつに使用されている各種の材料を特に制限なく用いることができる。不織布２３が撥水性の不織布である場合には、液不透過性のシート材２４を省略できる。このときの撥水性不織布の耐水圧は高い方が望ましい。
【００１９】
本実施形態のおむつ１においては、前述したように、帯状弾性片２０がレッグ開口部１５における接合部位９（図１参照）の近傍を除く全域に配されているので、レッグ開口部１５には、ほぼその全周に亘ってレッグギャザーが形成され、該レッグギャザーの伸縮応力がレッグ開口部１５のほぼ全周に亘って連続したものとなる。従って、レッグギャザーが股下部で途切れている従来のパンツ型の使い捨ておむつと比較して、本実施形態のおむつ１は、帯状弾性片２０によって形成されるレッグギャザーが着用者の脚回りに対して優れたフィット性を示し、脚回りからの漏れが効果的に防止される。要するに、本発明においては、おむつ股下部の排泄ポイントに近い位置に帯状弾性片２０を配することで着用者の脚廻りのシール性を高めている。そのために帯状弾性片２０はレッグ開口部１５の周長の１／４以上の長さで、おむつ股下部を中心にして前後方向に向けて配されていることが好ましい。但し、レッグ開口部１５における接合部位９（図１参照）の近傍には帯状弾性片２０が配されていないことから、この部位のフィット性が低下して、この部位から液漏れが起こるおそれがある。そこで、本実施形態においては、レッグ開口部１５における接合部位９（図１参照）の近傍であって、且つ帯状弾性片２０が配されていない部位に、レッグ開口部１５の開口縁１５ａに沿って、レッグ部弾性部材２７を配している。レッグ部弾性部材２７は、従来のパンツ型おむつと同様に、外層不織布５ａと内層不織布５ｂとの間に挟持固定されている。
【００２０】
本実施形態のおむつ１においては、前述したように帯状弾性片２０中に液不透過性のシート材２４が配されているため、脚回りからの漏れが更に効果的に防止される。
【００２１】
従来のパンツ型おむつにおいては、その製造方法に起因して、各レッグ開口部に配されるレッグ部弾性部材は、おむつの股下部を横断する弾性部材と一体であることが半ば必然であった。これに対して本実施形態のおむつ１においては、帯状弾性片２０によってレッグギャザーを形成しているので、おむつの股下部を横断する弾性部材は特に必要とされない。即ち、本実施形態のおむつ１においては、股下部１２に、股下部１２を横断する弾性部材が配されていない。これによって、おむつ１の装着中に吸収コア４が撚れにくく、吸収コア４の吸収面積が狭くなりにくい。従って、吸収コア４の吸収性能を無駄なく使用でき、吸収性能の向上を図れる。また、装着状態でのおむつ１の外観がすっきりとした美しいものとなる。
【００２２】
このように、本実施形態においては、吸収コア４から離れた位置に帯状弾性片２０の固定縁部２２が形成され、且つ該固定縁部２２から離れた位置に、伸縮する自由縁部２１が形成されていることで、吸収コア４がたとえヨレた場合であっても、そのヨレが、吸収コア４から固定縁部２２、該固定縁部２２から自由縁部２１へと２段階で伝達される間に、その間に存する部材の緩衝効果によって抑制される。こうして、自由縁部２１によって形成されるレッグギャザーが着用者の動きに対して柔軟に追従する。更に、自由縁部２１によって形成されるレッグギャザーは、ある程度の幅をもっているため、着用者に線でなく面で当接することができる。その結果、身体との隙間を好適にシールでき、着用感が優れたものとなる。
【００２３】
本実施形態に用いられる帯状弾性片２０は、吸収性本体１０や外層シート５とは別個に、予め別体として製造された後、吸収性本体１０と一体化された外層シート５における内層不織布５ｂ上に接合される。別体として製造された帯状弾性片２０を、外層シート５における内層不織布５ｂ上に取り付ける方法としては、ホットメルト粘着剤、超音波シール、ヒートシール等の従来公知の方法を用いることができる。特に、ホットメルト粘着剤および／またはヒートシールを用いることが、安価にしかも生産性を落とすことなく対応できるので好ましい。
【００２４】
ホットメルト粘着剤を用いて帯状弾性片２０を外層シート５に接合する場合には、帯状弾性片側に粘着剤を塗布することが、ホットメルト粘着剤がはみ出しにくく、余計な部分に粘着剤が塗布されず、また粘着剤の複雑な塗工技術が不要であるというメリットがあり好ましい。一方、超音波シールやヒートシールを用いる場合には、追加の変動費がなく、最適な条件に調整することで柔らかく風合いの良い製品に仕上げることができるメリットがある。更に、外層不織布５ａと内層不織布５ｂとの間で帯状弾性片２０を固定すれば、外観上さらに完成度の高いパンツ型おむつとすることができる。
【００２５】
次に、本発明の第２〜第５実施形態を図４〜図９を参照しながら説明する。第２〜第５実施形態については、第１実施形態と異なる点についてのみ説明し、特に説明しない点に関しては第１実施形態と同様であり、第１実施形態に関して詳述した説明が適宜適用される。また、図４〜図９において、図１〜図３と同じ部材には同じ符号を付してある。
【００２６】
図４及び図５に示す第２実施形態のおむつ１においては、吸収性本体１０の左右両側部それぞれに所定幅の帯状不織布２３Ａが配されており、各帯状不織布２３Ａは、その幅方向の内側部に自由部３１を有し且つ該自由部３１よりも外側の位置におむつ１のトップシート２側に固着された固着部３３を有していると共に、該固着部３３から外側に延出した延出部３４を有し、自由部３１の側縁３１ａに沿って立体ガード弾性部材３２が伸張状態で配されて、自由部３１が上方に起立し立体ガード３０が形成されるようになされていると共に、延出部３４に弾性部材２６ａ、２６ｂ、２６ｃが接合固定され、延出部３４及び固着部３３によって帯状弾性片２０が形成されている。
【００２７】
帯状不織布２３Ａは、その長さ方向に沿って、おむつ１の両側部における外層シート５の内層不織布５ｂ上に接合されており、これによって長さ方向へ延びる固着部３３が形成されている。但し、固着部３３は、おむつ１の前後端縁までは延びていない。同様に、自由部３１もおむつ１の長さ方向のほぼ全域に亘って形成されているが、おむつ１の前後端縁までは延びていない。自由部３１の前後端部は、トップシート２に接合固定されている。自由部３１におけるトップシート２に接合固定されていない部位から立体ガード３０が形成されている。一方、延出部３４は、第１実施形態の帯状弾性片２０と同様に、レッグ開口部１５における接合部位９の近傍を除く全域に形成されている。固着部３３及び自由部３１それぞれの前後端部が、おむつ１の前後端縁まで延びていないことで、ウエストギャザーが硬くならず、そのフィット性が良好となる。
【００２８】
本実施形態のおむつ１においては、帯状不織布２３Ａを外層シート５における内層不織布５ｂ上に接合することによって形成された固着部３３が、第１実施形態における帯状弾性片２０の固定縁部２２としての機能を果たす。また固着部３３から外側に延出した延出部３４が、第１実施形態における帯状弾性片２０の自由縁部２１としての機能を果たしている。
【００２９】
延出部３４には前述の通り弾性部材２６ａ，２６ｂ，２６ｃがおむつ１の長さ方向に沿って配されており、これらの弾性部材は、帯状不織布２３Ａが、おむつ１の幅方向内方へ折り返されることで不織布間に挟持固定されている。また固着部３３には一本の弾性部材２８がおむつ１の長さ方向に沿って配されており、この弾性部材２８も不織布間に挟持固定されている。そしてこれらの弾性部材２６ａ，２６ｂ，２６ｃ，２８の収縮によってレッグギャザーが形成される。
【００３０】
帯状不織布２３Ａとしては、第１実施形態の不織布２３と同じ素材のものを使用できるが、防漏効果を高める点から、耐水圧の高い撥水性の不織布を用いることが好ましい。また、立体ガード弾性部材３２としては、従来、使い捨ておむつに使用されている各種の材料を特に制限なく用いることができる。
【００３１】
第２実施形態のおむつ１においては、第１実施形態のおむつと同様の効果が得られる。更に、本実施形態のおむつ１においては、立体ガード３０が形成されているので、脚回りからの漏れが一層効果的に防止される。
【００３２】
図６及び図７に示す第３実施形態のおむつ１は、前述した第２実施形態のおむつに類似する形態を有している。本実施形態のおむつ１が第２実施形態のおむつと異なる点は、第２実施形態では帯状不織布２３Ａは吸収性本体と別体であったが、本実施形態のおむつ１では、吸収性本体１０が、トップシート２，バックシート３、吸収コア４及び帯状不織布２３Ａを有しており、帯状不織布２３Ａが吸収性本体１０の一部をなしている点である。詳細には、帯状不織布２３Ａは二つ折りにされており、二つ折りにされた帯状不織布２３Ａの一側部から立体ガード３０が形成されている。また、他側部が、おむつ１の内方に向けて延出して、吸収コア４の下面を覆うバックシート３の下に入り込み、吸収コア４の側部下面まで達している。そして、延出した帯状不織布２３Ａの上面がトップシート２及びバックシート３とそれそれ固着されている。その結果、帯状不織布２３Ａから形成される立体ガード３０及び延出部３４が、吸収性本体１０と一体化する。これによって、第２実施形態のおむつにおいて奏される効果に加えて、吸収性本体１０と外層シート５との貼り合わせでおむつが形成できるようになり、ワークのハンドリング面で有利となるという効果も奏される。吸収性本体１０と外層シート５との貼り合わせの際には、吸収コア４の側部下面まで延在する帯状不織布２３Ａの一部が外層シート５と貼り合わされて、固定部３３が形成される。そして、固定部３３及び延出部３４によって帯状弾性片が構成される。帯状弾性片を構成する弾性部材２６ａ，２６ｂ２６ｃは、外層シート５の両側に形成された凹欠部にほぼ対応する位置に配されている。
【００３３】
図８に示す第４実施形態のおむつ及び図９に示す第５実施形態のおむつにおいては、帯状弾性片２０は、直線が組み合わされた形状となっている。即ち、図８に示す第４実施形態のおむつ１においては、屈曲部４０を有する略Ｖ字形状の帯状弾性片２０が用いられている。帯状弾性片２０は、その屈曲部４０が、おむつ１の幅方向内方を向くように、レッグ開口部の全域に亘って配されている。これにより帯状弾性片２０が、レッグ開口部１５の凹欠形状に一層沿うようになる。従って、本実施形態においては、第１及び第２実施形態で用いたレッグ部弾性部材２７は用いられていない。尚、弾性部材２６ａ，２６ｂ，２６ｃは、帯状弾性片２０における自由縁部２１の位置に配されている。
【００３４】
図９に示す第５実施形態のおむつ１においては、台形の上底４１及び２つの側辺４２，４３から構成される形状の帯状弾性片２０が用いられている。帯状弾性片２０は、その前記上底に対応する部分がおむつ１の幅方向内方を向くように、レッグ開口部の全域に亘って配されている。本実施形態のおむつ１では、第４実施形態のおむつと同様にレッグ部弾性部材２７が用いられていない。弾性部材２６ａ，２６ｂ，２６ｃの配置位置は第４実施形態と同様である。
【００３５】
以上、具体的な実施形態に基づき詳述した通り、本発明のパンツ型使い捨ておむつによれば、帯状弾性片単独で、又は帯状弾性片及び必要に応じて用いられるレッグ部弾性部材で、レッグ開口部に、実質的に連続したリング状の弾性領域が形成され、これによっておむつの漏れ防止性及びフィット性が向上する。
【００３６】
本発明は、前記実施形態に制限されない。例えば、帯状弾性片は、着用者の肌に対向面のみに不織布が設けられ、おむつ外側を向く面では弾性部材が露出していてもよい。
【００３７】
また、帯状弾性片が、レッグ開口部の開口縁よりも内方の位置において外層シートに接合固定されて、帯状弾性片における自由縁部が該開口縁よりも外方へ延出していなくてもよい。
【００３８】
また、第１、第３〜第５実施形態においては、帯状弾性片における固定縁部に弾性部材が配されていてもよい。
【００３９】
また、前記実施形態においては、帯状弾性片は外層シートに接合されているが、おむつの両側部にトップシートや立体ガードを形成するシートが存在する場合には、帯状弾性片はそれらシートの上に接合されていてもよい。
【００４０】
また、帯状弾性片は、外層シート５における外層不織布５ａ上に接合されていてもよい。
【００４１】
また、帯状弾性片は曲線形状であってもよい。ただし、第１〜第５実施形態のように、直線形状により又は直線形状を組み合わせて帯状弾性片を形成する場合、曲線形状の帯状弾性片を形成する場合と比べて、製造方法が簡単であるので好ましい。
【００４２】
また前記実施形態の構成は、相互に置換可能である
【００４３】
【発明の効果】
本発明のパンツ型使い捨ておむつによれば、脚周りのギャザーの追従性を高めることができ、着用者の脚回りへのフィット性が高く、脚回りからの液漏れが効果的に防止される。
また、本発明のパンツ型使い捨ておむつは、脚周りのギャザーをソフトに仕上げることができ、着用者の脚回りに対する肌触りがよく、快適な装着感がで得られる。
また、本発明のパンツ型使い捨ておむつは、下着のブリーフ様の外観となり、装着状態での外観がすっきりとした美しいものである。更に、おむつの外観（見た目）が良好であることにより、使用者が、脚周りのフィット性が高いという効果を直感できるものとなる。
【図面の簡単な説明】
【図１】本発明のパンツ型使い捨ておむつの第１実施形態を示す斜視図である。
【図２】図１に示すパンツ型使い捨ておむつの展開状態を示す平面図である。
【図３】図２のIII− III線に沿う断面図である。
【図４】本発明のパンツ型使い捨ておむつの第２実施形態の展開状態を示す平面図（図２相当図）である。
【図５】図４のＶ−Ｖ線に沿う断面図である。
【図６】本発明のパンツ型使い捨ておむつの第２実施形態の展開状態を示す平面図（図２相当図）である。
【図７】図４のVII−VII線に沿う断面図である。
【図８】本発明のパンツ型使い捨ておむつの第４実施形態の展開状態を示す平面図（図２相当図）である。
【図９】本発明のパンツ型使い捨ておむつの第５実施形態の展開状態を示す平面図（図２相当図）である。
【符号の説明】
１  使い捨ておむつ
２  トップシート
３  バックシート
４  吸収コア
５  外層シート
５ａ  外層不織布
５ｂ  内層不織布
１１  腹側部
１２  股下部
１３  背側部
１４  ウェスト開口部
１５  レッグ開口部
１７  胴周囲部
１８  胴回り弾性部材
２０  帯状弾性片
２１  自由縁部
２２  固定縁部
２３  不織布
２４  液不透過性のシート材
３０  立体ガード
３１  自由部
３２  立体ガード弾性部材
３３  固定部
３４  延出部
【図１】
0004330281.tif 000002
【図２】
0004330281.tif 000003
【図３】
0004330281.tif 000004
【図４】
0004330281.tif 000005
【図５】
0004330281.tif 000006
【図６】
0004330281.tif 000007
【図７】
0004330281.tif 000008
【図８】
0004330281.tif 000009
【図９】
0004330281.tif 000010